(57)【要約】 【課題】  小型化、薄型化されたプリンタにおいて、低廉且つ簡単な構成で、各用紙に対する印刷指令の処理時や処理中断中などの不適当なタイミングでのリボンカセットの抜き出しを確実に防止することができ、熱転写プリンタの故障を未然に防止することができる熱転写プリンタを提供すること。【解決手段】  リボンカセット１に抜止用収納部６を形成し、プリンタ本体１０内に、円弧状の周縁部２２と切欠き状の周縁部２３とを外周に備えた円盤状の抜止部材２１を、印刷指令の処理時においては円弧状の周縁部２２の少なくとも一部がリボンカセット１の抜止用収納部６内に位置してリボンカセット１の挿入部１１からの抜出を抑止し、印刷指令の待機時においては切欠き状の周縁部がリボンカセット１の抜止用収納部６に対向位置してリボンカセット１の挿入部１１への挿脱を許容するように、用紙１枚毎の印刷指令に基づいて伝達される駆動力による回転角度を制御して配設する。【選択図】  図１
2011161799.tif 000002
【特許請求の範囲】
【請求項１】
インクリボンを収納するリボンカセットを、プリンタ本体に形成された挿入部から挿入して前記プリンタ本体内のカセット装着部に装着させ、制御部からの用紙１枚ごとの印刷指令に基づいて、プリンタ本体内に配設されたサーマルヘッドに対し、搬送されるインクリボンと用紙とを挟んでプラテンを圧接させ、前記サーマルヘッドの発熱素子に選択的に通電して、所望の記録を行なう熱転写プリンタにおいて、
前記リボンカセットには抜止用収納部が形成されており、前記プリンタ本体内には、円弧状の周縁部と切り欠き状の周縁部とを外周に備えた円盤状の抜止部材が、印刷指令の処理時においては前記円弧状の周縁部の少なくとも一部が前記リボンカセットの抜止用収納部内に位置して前記リボンカセットの前記挿入部からの抜き出しを抑止し、前記印刷指令の待機時においては前記切欠き状の周縁部が前記リボンカセットの抜止用収納部部分に対向位置して前記リボンカセットの前記挿入部への挿脱を許容するように、用紙１枚毎の印刷指令に基づいて伝達される駆動力による回転角度が制御されて配設されていることを特徴とする熱転写プリンタ。
【請求項２】
前記抜止部材は、用紙１枚毎の印刷指令に基づいて伝達される駆動力により３６０°の範囲内において正逆回転可能とされたギアの回転中心軸上に、前記ギアとともに回転可能であって、かつ、前記ギアとの間に所定の間隙を形成して配設されていることを特徴とする請求項１に記載の熱転写プリンタ。
【請求項３】
前記ギアは、プリンタの駆動動作を制御可能に配設されているカムギアであることを特徴とする請求項２に記載の熱転写プリンタ。
【発明の詳細な説明】
【技術分野】
【０００１】
本発明は、不適当なタイミングでのリボンカセットの着脱操作を防止するための機構を備えた熱転写プリンタに関する。
【背景技術】
【０００２】
従来より、プリンタ本体内に、円筒状のプラテンと、発熱素子がライン状に形成され前記プラテンに対して接離自在とされたサーマルヘッドが配設されるとともに、インクリボンが収容されたリボンカセットが着脱自在に配設され、前記プラテンとサーマルヘッドの間に搬送される用紙に対して、リボンカセットのインクリボンを介してサーマルヘッドを圧接させた状態で前記用紙の搬送およびインクリボンの巻取りを行ないながら、印刷情報に基づいて前記用紙に所望の印刷を行なう熱転写プリンタが利用されている。
【０００３】
そして、この従来の熱転写プリンタにおいては、前記リボンカセットが装着された状態で前記リボンカセットに係合可能とされたカセット係止部材が設けられ、このカセット係止部材を操作することにより、前記リボンカセットにカセット係止部材を係合させてリボンカセットの抜き出しを防止したり、前記リボンカセットに対するカセット係止部材の係合を解除してリボンカセットを取外すことができるようになっている。
【０００４】
しかしながら、この従来のプリンタにおいては、例えば、印刷中にカセット係止部材を操作してしまうと、リボンカセットが抜き出してしまい、印刷を適正に行なうことができなくなってしまうという問題を有していた。
【０００５】
そこで、近年では、リボンカセットにカセット係止用凹部を形成するとともに、プリンタ本体のフレームにリボンカセットの装着時に前記カセット係止用凹部に係合して前記リボンカセットを保持するカセット係止部材を配設し、サーマルヘッドの接離動作を行なうサーマルヘッド移送用部材に、サーマルヘッドのヘッドアップ位置以外の位置における前記カセット係止用凹部に対するカセット係止部材の係合の解除を阻止する、カセット取り出し阻止部を配設した熱転写プリンタも開発されている（例えば、特許文献１参照）。
【０００６】
この特許文献１に開示された熱転写プリンタによれば、サーマルヘッドの接離動作を行なうサーマルヘッド移送用部材に配設されたカセット取り出し阻止部によって、サーマルヘッドがヘッドアップ位置にないときのリボンカセットの抜き出しを確実に防止することができる。
【先行技術文献】
【特許文献】
【０００７】
【特許文献１】特許平１１−２６８３１５号公報
【発明の概要】
【発明が解決しようとする課題】
【０００８】
しかしながら、特許文献１に開示された熱転写プリンタは、サーマルヘッドがヘッドアップ位置とヘッドダウン位置との間を移動する構成であることが前提となっているため、サーマルヘッドが固定配置され、対向するプラテンがサーマルヘッドに対し接離動作する構成とされた熱転写プリンタにおいては、依然、印刷中にリボンカセットが抜け出すようなことがあれば印刷が適正に行なわれなくなるという、従来の熱転写プリンタの問題点が解消されずに残ることになる。
【０００９】
さらに言えば、リボンカセットの着脱操作のタイミングを、サーマルヘッドがヘッドアップ状態にある場合に限ったとしても、例えば、印刷指令を受けて用紙の搬送を開始した後には、着脱操作されるリボンカセットが搬送された用紙と干渉してしまうことも懸念される。特に、小型化、薄型化されたプリンタにおいては、用紙搬送経路も狭小となるため、搬送途中の用紙を回避しつつリボンカセットを着脱することは困難な作業となり、そうした困難な状況でのリボンカセットの着脱操作は、熱転写プリンタの故障の原因を作ることもある。よって、リボンカセットの着脱操作を許容するタイミングとしては、用紙１枚ごとに対する印刷指令の待機中に限ることが好ましい。
【００１０】
また、プリンタのリボンカセット挿入口に設けられた蓋にセンサを設け、蓋が開かれたことをセンサが検出した場合に、印刷指令の処理を中断させることも考えられるが、処理を中断すると印刷中の用紙が無駄になり、また、センサ等の部品のコストもかかる。
【００１１】
そこで、本発明は、小型化、薄型化されたプリンタにおいて、低廉且つ簡単な構成で、用紙１枚ごとに対する印刷指令の処理時や処理中断中などの不適当なタイミングでのリボンカセットの抜き出しを確実に防止することができ、熱転写プリンタの故障を未然に防止することができる熱転写プリンタを提供することを目的とする。
【課題を解決するための手段】
【００１２】
このような課題を解決するため、本発明の熱転写プリンタは、インクリボンを収納するリボンカセットを、プリンタ本体に形成された挿入部から挿入して前記プリンタ本体内のカセット装着部に装着させ、制御部からの用紙１枚ごとの印刷指令に基づいて、プリンタ本体内に配設されたサーマルヘッドに対し、搬送されるインクリボンと用紙とを挟んでプラテンを圧接させ、前記サーマルヘッドの発熱素子に選択的に通電して、所望の記録を行なう熱転写プリンタにおいて、前記リボンカセットには抜止用収納部が形成されており、前記プリンタ本体内には、円弧状の周縁部と切り欠き状の周縁部とを外周に備えた円盤状の抜止部材が、印刷指令の処理時においては前記円弧状の周縁部の少なくとも一部が前記リボンカセットの抜止用収納部内に位置して、前記リボンカセットの前記挿入部からの抜出を抑止し、前記印刷指令の待機時においては前記切欠き状の周縁部を前記リボンカセットの抜止用収納部部分に対向位置して、前記リボンカセットの前記挿入部への挿脱を許容するように、用紙１枚毎の印刷指令に基づいて伝達される駆動力による回転角度が制御されて配設されていることを特徴とする。
【００１３】
このような構成を備えることにより、印刷指令の処理時には、抜止部材の円弧状の周縁部の一部をリボンカセットに形成された抜止用収納部内に位置させることで、リボンカセットの抜き出し操作が行われたときに前記抜止部材と抜止用収納部とを干渉させ、印刷指令の待機時には、抜止部材の切欠き状の周縁部をリボンカセットに形成された抜止用収納部に対向位置させることで、リボンカセットの抜き出し操作が行われたときに前記抜止部材と抜止用収納部とを非干渉とすることができる。よって、印刷指令の処理中のリボンカセットの抜き出しを防止することができる。
【００１４】
また、前記抜止部材は、用紙１枚毎の印刷指令に基づいて伝達される駆動力により３６０°未満の範囲内において正逆回転可能とされたギアの回転中心軸上に、前記ギアとともに回転可能であって、かつ、前記ギアとの間に所定の間隙を形成して配設されていることを特徴とし、さらに、前記ギアは、プリンタの駆動動作を制御可能に配設されたカムギアであることを特徴とする。
【００１５】
前記プリンタの駆動動作とは、例えば、プラテン接離機構においてはプラテンをサーマルヘッドに対し接離させる動作、ピックアップローラ接離機構においてはピックアップローラを用紙表面に接離させる動作、巻取り接離機構においては前記巻取りボビンに対し、印刷指令に基づいて駆動力を伝達し、インクリボンの巻取り搬送を行なうべく、駆動力の伝達経路に組み込まれた揺動ギアを揺動させる動作をいう。
【００１６】
このように、プリンタ本体内に組み込まれるギアに抜止部材を配設することで、廉価且つ簡単な構成で、前述の効果を得ることができる熱転写プリンタを実現することができる。
【発明の効果】
【００１７】
本発明の熱転写プリンタによれば、小型化、薄型化されたプリンタにおいて、低廉且つ簡単な構成で、各用紙に対する印刷指令の処理時などの不適当なタイミングでのリボンカセットの抜き出しを確実に防止することができ、熱転写プリンタの故障を未然に防止することができるとともに、不用意なリボンカセットの抜き出しを防止して、印刷の中断による用紙の無駄な消費を削減することが可能となる。
【図面の簡単な説明】
【００１８】
【図１】本発明の熱転写プリンタの一実施形態におけるカムギアに対する抜止部材の配設状態を示す要部斜視図
【図２】本発明の熱転写プリンタの一実施形態における、印刷指令待機時の抜止用収納部に対する抜止部材の状態を示す要部斜視図
【図３】図２中の囲み部分Ａの要部拡大図
【図４】本発明の熱転写プリンタの一実施形態における、印刷指令処理時の抜止用収納部に対する抜止部材の状態を示す要部斜視図
【図５】図４中の囲み部分Ｂの要部拡大図
【発明を実施するための形態】
【００１９】
以下、本発明の熱転写プリンタの実施形態を図１乃至図５を用いて説明する。
【００２０】
本発明における本発明の熱転写プリンタは、インクリボン（不図示）を収納したリボンカセット１と、このリボンカセット１を装着するプリンタ本体１０とを備えている。
【００２１】
リボンカセット１は樹脂製とされ、インクリボンを一端部側から巻回した供給リールを収納する略円筒状の第１収納部２と、前記インクリボンを他端部側から巻回した巻取りリールを収納した略円筒状の第２収納部３と、前記第１収納部２及び第２収納部３との間に前記インクリボンを露出させる矩形状の開孔部４を形成しつつ前記第１収納部２及び第２収納部３を繋ぐ一対の連結部材５とを有している。前記一対の連結部材５は、後述するプリンタ本体１０の挿入部１１からカセット装着部１２内に挿入される際の先端側において、前記第１収納部２および第２収納部３の対向する先端部同士を架橋状に連結させる薄板の第１連結部材５Ａと、後端側において前記第１収納部２および第２収納部３の後端面同士を連結させて一体化した略楕円形状の側板を有する第２連結部材５Ｂとからなる。
【００２２】
リボンカセット１の挿入方向先端側に形成された第１連結部材５Ａには、後述するプリンタ本体１０に配設された抜止部材２１を収納合可能な抜止用収納部６が形成されている。具体的には、抜止用収納部６は第１連結部材５Ａの中央上面に形成され、抜止部材２１の一部を収納可能な凹部６Ａと、前記凹部６Ａとリボンカセット１の第１連結部材５Ａにおける先端側端辺との間に位置する凹部周縁部６Ｂからなり、リボンカセット１の着脱操作時にこの凹部６Ａに収納された抜止部材２１が凹部周縁部６Ｂと干渉することにより、リボンカセット１の抜き出しを防止するように構成されている。
【００２３】
また、リボンカセット１の挿入方向後端側に形成された第２連結部材５Ｂには、位置決め部材としての位置決め孔７が形成されており、後述するプリンタ本体１０に形成された位置決め部材としての位置決めピン１４と嵌合させることで、リボンカセット１をプリンタ本体１０のカセット装着部１２に適正に装着可能とされている。なお、前記位置決め部材は、リボンカセット１の挿入方向先端側にも形成されており、プリンタ本体１０に形成された位置決め部材と嵌合させることで、リボンカセット１をカセット装着部１２に適正に装着可能とされている。
【００２４】
さらに、第２連結部材５Ｂには、リボンカセット１をカセット装着部１２内に挿入した状態で固定ロックするための係止孔８が形成されており、後述するプリンタ本体１０に形成された係止爪１５が係止することで、リボンカセット１をプリンタ本体１０内に固定ロック可能とされている。
【００２５】
また、本実施形態の熱転写プリンタは、プリンタ本体１０の一側面に開口形成された挿入部１１から前記リボンカセット１を挿入してカセット装着部１２に装着して、プリンタ本体１０内の記録部に配設されたサーマルヘッド（不図示）を前記開孔部４に露出するインクリボンに対向配置させ、制御部からの印刷指令に基づいて、諸機構の駆動を制御しつつ、前記サーマルヘッドに対し、リボンカセット１の供給リールと巻取りリールとの間を巻取り搬送されるインクリボンと搬送供給される用紙を挟んでプラテンを圧接させ、サーマルヘッドの発熱素子に選択的な通電を行って所望の記録を行なうように構成されている。
【００２６】
このプリンタ本体１０の構成については、前記リボンカセット１の抜き出しを防止するために作用する構成を中心に説明することとし、その他の構成については従来のプリンタと同様として説明を省略する。
【００２７】
プリンタ本体１０は、底板（不図示）および互いに対向する前側板１３Ａと後側板（不図示）とにより略コ字状に形成された筐体１３を有している。
【００２８】
前記前側板１３Ａには、後述のカセット装着部にリボンカセット１を先端部側から挿入可能な略めがね状の挿入部１１が形成されている。また、前側板１３Ａには、位置決め部材としての前記位置決めピン１４と、リボンカセット１をカセット装着部１２内に挿入した状態で固定ロックするための前記係止爪１５が形成されている。
【００２９】
また、前側板１３Ａと後側板との間となる底板上には、リボンカセット１を装着可能な空洞状のカセット装着部１２が形成されている。カセット装着部１２内において、サーマルヘッドがリボンカセット１の開孔部４に露出するインクリボンに対向配置する部位が本実施形態の熱転写プリンタにおける記録部とされている。
【００３０】
ここで、筐体１３内の記録部には、発熱素子がライン状に配列形成されたサーマルヘッドを下方へ向けて取り付けたヘッド取付台（不図示）が固定配置されている。そして、サーマルヘッドの下方には、制御部からの印刷指令に基づいて伝達される駆動源の駆動力により駆動するプラテン接離機構（不図示）によって前記サーマルヘッドに対し接離可能とされたプラテンローラ（不図示）が配設されている。
【００３１】
また、筐体１３内の前記記録部の近傍には、前記記録部に対する給紙と排紙を行なう用紙搬送ユニット（不図示）が配設されている。用紙搬送ユニットは、リボンカセット１に収納されるインクリボンの幅方向に延在し、図示しない駆動源により連続的な正逆回転を自在に軸支された用紙搬送ローラ（不図示）、前記用紙搬送ローラと当接して従動回転可能に支持された従動ローラ（不図示）を備えている。また、用紙搬送ユニットは、さらに、リボンカセット１に収納されるインクリボンの幅方向に延在し、図示しない制御部からの印刷指令に基づいて伝達される駆動源の駆動力により駆動するピックアップローラ接離機構（不図示）によって最上位に積層載置された用紙の表面に当接し、回転することで、最上位に積層載置されている用紙１枚を下層の用紙から分離して前記用紙搬送ローラと従動ローラとの間に供給するピックアップローラ（不図示）を備えている。
【００３２】
また、前記後側板の内面には、カセット装着部１２内に突出し、リボンカセット１の第１収納部２に収納された供給リールおよび第２収納部３に収納された巻取りリールにそれぞれ嵌合する送出しボビンおよび巻取りボビン（いずれも不図示）が配置されており、巻取りボビンは図示しない駆動源から伝達される駆動力により連続的な正回転をするように配設されている。また、前記後側板の内面には、リボンカセット１の先端側の位置決めを行うための位置決めピン１４が配設されている。
【００３３】
筐体１３内には、用紙１枚毎の印刷指令に基づいて、駆動源としての図示しない各モータからプリンタ本体１０を構成する各機構へ駆動力を伝達する１乃至複数の駆動力伝達機構が配設されている。
【００３４】
そして、本実施形態においては、前記後側板の内面近傍には、前記駆動力伝達機構のうちの１つであって、ある１つの駆動モータから用紙１枚毎の印刷指令に基づいて伝達される駆動力によって、１回転（３６０°）未満の範囲内において正逆回転可能に配設されたカムギア１８を備えた駆動力伝達機構１７が配設されている。
【００３５】
前記カムギア１８は、前記プリンタ本体１０内の前記挿入部１１の奥部において、カム溝１９が形成された平面状のカム面２０を前記後側板と平行に位置させて前記後側板の内面に配設されている。本実施形態においては、カムギア１８のカム面には３本のカム溝１９が形成されており、各カム溝１９にはそれぞれ、前記サーマルヘッドにプラテンを接離させるプラテン接離機構、ピックアップローラを用紙表面に当接させるピックアップローラ接離機構、および、リボンカセット１に収納されたインクリボンの巻取りを行なう巻取り接離機構に配設された係合部材の係合ピン（不図示）が、そのカム溝１９の形状に沿って摺動可能に嵌着され、モータの駆動力から用紙１枚毎の印刷指令に基づいてカムギア１８が正逆回転する中で、プラテン接離機構においてはプラテンをサーマルヘッドに対し接離させ、ピックアップローラ接離機構においてはピックアップローラを用紙表面に接離させ、また、巻取り接離機構においては前記巻取りボビンに対し、印刷指令に基づいて駆動力を伝達するべく、駆動力の伝達経路に組み込まれた揺動ギアを揺動させ、インクリボンの巻取りを行なうように構成されている。
【００３６】
そして、本実施形態において、前記カムギア１８の回転中心軸上には、前記カムギア１８とともに回転可能とされた抜止部材２１が配設されている。
【００３７】
抜止部材２１は、印刷指令の待機時は、リボンカセット１の抜き出し時に前記リボンカセット１の抜止用収納部６と干渉せずに前記リボンカセット１の前記挿入部１１への挿脱を許容し、前記印刷指令の処理時は、リボンカセット１の抜き出し時に前記リボンカセット１の抜止用収納部６と干渉して前記リボンカセット１の前記挿入部１１からの抜出を抑止する形状とされている。具体的には、前記抜止部材２１は、前記印刷指令の処理時（＝プリンタ動作時）における前記カムギア１８の回転角度（初期位置（回転角度０°）以外）に対応して、リボンカセット１の抜き出しが試みられた時に前記リボンカセット１の抜止用収納部６と干渉するように形成された円弧状の周縁部２２（本実施形態においては約３２０°に亘る円周部分に形成されている）と、前記印刷指令の待機時（＝プリンタ非動作時）における前記カムギア１８の回転角度（（０°）初期位置）に対応して、リボンカセット１の抜き出し時に前記リボンカセット１の抜止用収納部６と非干渉となるように形成された切欠き状の周縁部２３とからなるＤ字状の回転部材とされている。そして、プリンタ本体１０内の挿入部１１の奥部において、図１に示すように、直下位置に配置されるリボンカセット１の第１連結部材５Ａに形成された抜止用収納部６との干渉・非干渉を切り替えるように回転可能に配設されている。具体的には、印刷指令の待機時におけるカムギア１８の回転角度を初期位置とし、カムギア１８が初期位置にあるときにのみ、前記切欠き状の周縁部２３が前記抜止用収納部６に位置するように、抜止部材２１がカムギア１８の回転軸上に配設されている。
【００３８】
また、前記抜止部材２１は、その回転軸の軸方向において隣位するカムギア１８との間にリボンカセット１に形成された凹部周縁部６Ｂの幅寸法以上の間隙を形成して配設されている。このような間隙を形成し、抜止部材２１が他の部材との摺動しつつ回転するような事態を回避することによって、熱転写プリンタの他の駆動系の動作を阻害せず、良好な印刷結果を得ることが可能となる。
【００３９】
そして、本実施形態の熱転写プリンタにおいては、制御部において、印刷指令の処理時には、図４及び図５に示すように、駆動源の駆動を制御してカムギア１８を初期位置から回転させ、抜止部材２１の円弧状の周縁部２２の一部をリボンカセット１に形成された抜止用収納部６の凹部６Ａ内に位置させて、リボンカセット１の抜き出しが試みられた場合に抜止部材２１と抜止用収納部６とが干渉する状態（抜止ロック状態）を保持する。そして、用紙１枚ごとの印刷指令の最終処理において、駆動源の駆動を制御してカムギア１８の回転角度を初期位置に戻すように制御し、印刷指令の待機時には、図２及び図３に示すように、抜止部材２１の切欠き状の周縁部をリボンカセット１に形成された抜止用収納部６に対向させた儘の状態を保持し、リボンカセット１の抜き出しが試みられた場合に抜止部材２１と抜止用収納部６とが干渉しない状態（抜止ロック解除状態）とする。
【００４０】
このように構成された熱転写プリンタにおいては、印刷指令の処理中に、仮に、第２連結部材５Ｂに形成された係止孔９とプリンタ本体１０に形成された係止爪１５との係合による固定ロックを解除し、リボンカセット１を引き抜こうとしても、抜止部材２１と抜止用収納部６は抜止ロック状態にあるので、抜止部材２１と抜止用収納部６の凹部周縁部６Ｂとが干渉し、リボンカセット１の抜き出しを防止することができる。なお、リボンカセット１の抜き出しは抜止ロック解除状態にあるとき、すなわち、印刷指令の待機時に実行可能であることは言うまでもない。また、センサ等のコストのかかる部材を使用しないので低廉である。さらに、各用紙に対する印刷指令の処理時などの不適当なタイミングでのリボンカセット１の抜き出しを確実に防止することで、熱転写プリンタの故障を未然に防止することができ、印刷が中断されることによる用紙の無駄な消費も無くすことができる。
【００４１】
なお、本実施形態においては、１枚のカムギアのカム面にこれらの複数の機構の動作を制御するカム溝を形成したが、各機構に対応させた１枚ずつのカムギアを同軸に配設し、一体回転可能に配設してもよい。また、前記カムギアを介する駆動力の伝達により駆動する機構は、前述の固定配置されたサーマルヘッドに対するプラテンの接離機構、インクリボンの搬送方向の切り替え機構、および用紙ピックアップローラの用紙表面に対する接離機構に限らず、また、これらの機構のうちの１つの機構のみであってもよい。
【００４２】
さらに、リボンカセットに形成する抜止用収納部の形成位置は、本実施形態のように第１連結部材に限るものではない。例えば、リボンカセットの第１収納部に凹部として形成することも可能である。また、抜止部材の形状も、本実施形態のようにＤ字状に限るものではなく、要は、回転部材の外周にリボンカセットの抜止用収納部内に位置する縁部と、抜止用収納部外において前記凹部と対向して位置する縁部とが形成される形状であればよい。
【００４３】
またさらに、本実施形態におけるカムギアをギアに代え、他のギア群等を介して駆動源の駆動力を伝達してその回転角度を制御してもよい。
【符号の説明】
【００４４】
１  リボンカセット
２  第１収納部
３  第２収納部
４  開孔部
５  連結部材
５Ａ  第１連結部材
５Ｂ  第２連結部材
６  抜止用収納部
６Ａ  凹部
６Ｂ  凹部周縁部
７  位置決め孔
８  係止孔
１０プリンタ本体
１１  挿入部
１２  カセット装着部
１３  筐体
１３Ａ  前側板
１４  位置決めピン
１５  係止爪
１７  駆動力伝達機構
１８  カムギア
１９  カム溝
２０  カム面
２１  抜止部材
２２  円弧状の周縁部
２３  切欠き状の周縁部
【図１】
2011161799.tif 000003
【図２】
2011161799.tif 000004
【図３】
2011161799.tif 000005
【図４】
2011161799.tif 000006
【図５】
2011161799.tif 000007